Podtech/llm-jp-corpus-v4-ja_patent huggingface dataset:
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
農業機具に付随する内燃エンジンのための排気調整システムであって、
前記システムは、
前記エンジンから前記農業機具まで排気物質を伝達するように配される排気ダクトと、
前記農業機具に付随し、且つ前記排気ダクトを通る排気物質の流れを引きこむように配された農業インペラファンと、
前記エンジンと前記インペラファンの間を通る前記排気物質を受け取るように、前記排気ダクトと直列に連結されるように配された排気通路を備える凝縮器と、
前記排気通路の表面を横切って冷却空気を向かわせるように配された凝縮器ファンと、
前記排気の温度を検知するように配された排気温度センサと、
選択された温度範囲内の前記排気物質の温度を維持するために、前記排気物質の温度に応答して、前記凝縮器ファン、前記インペラファン、又は前記エンジンの毎分の回転、のうち少なくとも１つの速度を制御可能に変化させるように配されたコンピュータ制御装置と、
を備えることを特徴とする排気調整システム。
【請求項２】
芝刈り用デッキを有する芝刈り機を備える農業機具とともに使用されるシステムであって、
前記エンジンは、地面を横切る前記機具の前方への動きの機動力となるように配され、
前記排気ダクトは、前記エンジンと前記芝刈り用デッキの間を連通するように配され、
これにより、前記インペラファンは、前記芝刈り用デッキの中へ排気物質を向かわせるように配され、
前記排気物質は、前記芝刈り用デッキの刈り取った芝生及び芝生への栄養補給のために葉面と混ぜられるように配されることを特徴とする請求項１記載のシステム。
【請求項３】
耕運機用フードを有するロータリー式耕運機を備える農業機具とともに使用されるシステムであって、
前記エンジンは、地面を横切る前記機具の前方への動きの機動力となるための前記ロータリー式耕運機の地面係合羽根の回転駆動のために配され、
前記排気ダクトは、前記エンジンと前記耕運機用フードの間を連通するように配され、
これにより、前記インペラファンは、前記フードの中へ排気物質を向かわせるように配され、前記排気物質は、地面の中へ混ぜられるように配されることを特徴とする請求項１記載のシステム。
【請求項４】
空気式播種機具を備える農業機具とともに用いて使用されるシステムであって、
前記空気式播種機具は、地面の畝間を形成するための複数のオープナーと、播種タンクと、前記タンクから前記オープナーまで種を運ぶように配された複数の播種管と、を備え、
前記エンジンは、前記空気式播種機具を牽引するために配されたトラクターのエンジンを備え、前記インペラファンは、前記空気式播種機具の播種ファンを備え、前記空気式播種機具は、前記播種管を通って種を吹き飛ばすように配されることを特徴とする請求項１記載のシステム。
【請求項５】
前記コンピュータ制御装置が、前記凝縮器ファンの速度を制御可能に変化させるように配されることを特徴とする請求項１乃至４のいずれか一つに記載のシステム。
【請求項６】
前記コンピュータ制御装置が、前記インペラファンの速度を制御可能に変化させるように配されることにより、凝縮器内の圧力を低下させ、且つ噴射流の圧力を増加させるように前記インペラファンが配されることを特徴とする請求項１乃至５のいずれか一つに記載のシステム。
【請求項７】
前記オープナー、前記凝縮器及び前記エンジンのいずれかに隣接する前記排気の温度を検知するように配された排気温度センサが提供され、前記コンピュータ制御装置が、前記排気温度センサの夫々によって決定された前記排気物質の温度に応答することを特徴とする請求項４乃至６のいずれか一つに記載のシステム。
【請求項８】
動いていない前記インペラファンに応答して前記凝縮器から離れた位置の前記エンジンから、排気物質の方向を選択的に変えるように配された安全弁が提供されることを特徴とする請求項１乃至７のいずれか一つに記載のシステム。
【請求項９】
規定される温度上限を超える前記排気の温度に応答して前記凝縮器から離れた前記エンジンから、排気物質の方向を選択的に変えるように配された安全弁が提供されることを特徴とする請求項１乃至８のいずれか一つに記載のシステム。
【請求項１０】
前記エンジンと前記凝縮器の間の前記排気ダクトと連通する補助空気吸入口が提供され、前記補助空気吸入口は、前記インペラファンの前に前記排気物質と混ぜられるべき前記排気ダクトの中へ周囲空気を注入するように配されることを特徴とする請求項１乃至９のいずれか一つに記載のシステム。
【請求項１１】
前記補助空気吸入口の中へ空気を向かわせるように配された補助ファンが提供され、前記補助ファンは、前記コンピュータ制御装置によって制御されることを特徴とする請求項１０記載のシステム。
【請求項１２】
前記選択された温度範囲が、華氏９０〜２００度を含むことを特徴とする請求項１乃至１１のいずれか一つに記載のシステム。
【請求項１３】
前記凝縮器が、
そこを通る前記排気物質を受け取るように、前記排気ダクトと結合されるように配された排気通路と、
前記排気通路の表面の第１の位置を横切って冷却空気を向かわせるように配された主冷却通路と、
前記排気通路の表面の第２の位置を横切って冷却空気を向かわせるように配された補助冷却通路と、
を備え、
前記コンピュータ制御装置が、前記排気物質の温度に夫々応答して主冷却通路及び補助冷却通路に収容された冷却空気の量を制御可能に変化させるように配されることを特徴とする請求項１乃至１３のいずれか一つに記載のシステム。
【請求項１４】
前記主冷却通路が、前記排気通路から同心円状に延出し、前記補助冷却通路が、前記排気通路の外側の周りに向けられることを特徴とする請求項１３記載のシステム。
【請求項１５】
前記排気物質の含有物を決定するように配された排気物質アナライザが提供され、前記コンピュータ制御装置が、前記排気物質の前記含有物に応答して、前記凝縮器ファン、前記インペラファン、又は前記エンジンの毎分の回転、のうち少なくとも１つの速度を制御可能に変化させるように配されることを特徴とする請求項１乃至１４のいずれか一つに記載のシステム。
【請求項１６】
前記排気物質の含有物を決定するように配された排気物質アナライザが提供され、前記コンピュータ制御装置が、前記排気物質の前記含有物に応答して前記エンジンによって消費される高タンパク質含有物を有するバイオ燃料の速度を制御可能に変化させるように配されることを特徴とする請求項１乃至１５のいずれか一つに記載のシステム。
【請求項１７】
前記排気物質の含有物を決定するように配された排気物質アナライザと、前記エンジン中へ燃料添加剤を投入するように配された燃料添加ディスペンサーと、が提供され、前記コンピュータ制御装置が、前記排気物質の前記含有物に応答して前記燃料添加剤を投入する速度を制御可能に変化させるように配されることを特徴とする請求項１乃至１６のいずれか一つに記載のシステム。
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
水硬性セメントおよび水を含むセメント系混合物に対する加工性を長時間化するための非イオン性ポリエーテル−ポリエステルコポリマーであって、該コポリマーは、少なくとも以下のモノマー：
セメント系混合物中で加水分解可能な部分を含むエチレン性不飽和カルボン酸エステルモノマーを含む成分Ａであって、加水分解されたモノマー残基は、セメント系混合物の成分に対する活性結合部を含む成分Ａ、この場合、成分Ａのエチレン性不飽和モノマーが、加水分解性部分を含むエステル官能基を有するアクリル酸エステルを含み、エステル官能基は、ヒドロキシプロピルまたはヒドロキシエチルの少なくとも１つを含む、および少なくとも１つの以下の
約１〜３０個の単位の少なくとも１つのＣ2-4オキシアルキレン側基を含むエチレン性不飽和アルケニルエーテルモノマーを含む成分Ｂ、または
３１〜約３５０個の単位の少なくとも１つのＣ2-4オキシアルキレン側基を含むエチレン性不飽和アルケニルエーテルモノマーを含む成分Ｃ、この場合、成分Ｂまたは成分Ｃの少なくとも１つは不飽和アルコールを含み、この不飽和アルコールはイソプレノールである、
の残基を含み、
成分Ａと成分Ｂおよび成分Ｃのモル比の合計とのモル比が約１：１〜約１０：１であるコポリマー。
【請求項２】
成分Ｂおよび成分Ｃの両方が存在する、請求項１に記載のコポリマー。
【請求項３】
加水分解性部分を含む１つより多くの成分Ａのエチレン性不飽和モノマーの残基を含み、場合により、加水分解性部分を含む１つより多くの成分Ａのエチレン性不飽和モノマーは、
ａ）１種より多くのエチレン性不飽和モノマー、
ｂ）１つより多くの加水分解性部分、または
ｃ）ａ）とｂ）の組合せ
の残基を含む、請求項１または２に記載のコポリマー。
【請求項４】
１つより多くの加水分解性部分が、少なくとも１つのＣ2-20アルコール官能基を含む、請求項３に記載のコポリマー。
【請求項５】
成分Ｂまたは成分Ｃのエチレン性不飽和モノマー側基の少なくとも１つが、少なくとも１つのＣ4オキシアルキレン単位を含む、請求項１から４までのいずれか一項に記載のコポリマー。
【請求項６】
オキシアルキレン側基が、エチレンオキシド、プロピレンオキシド、ポリエチレンオキシド、ポリプロピレンオキシドまたはそれらの混合物の少なくとも１つを含む、請求項１から５までのいずれか一項に記載のコポリマー。
【請求項７】
少なくとも１つの非イオン性の非加水分解性成分Ｄであるモノマー残基またはその混合物を含む、請求項１から６までのいずれか一項に記載のコポリマー。
【請求項８】
水硬性セメントおよび水を含むセメント系混合物に対する加工性を長時間化するための方法であって、請求項１から７までのいずれか一項に記載の非イオン性ポリエーテル−ポリエステルコポリマーを含む混合物をセメント系混合物に導入することを含む方法。
【請求項９】
減水組成物をセメント系混合物に個別に添加することをさらに含む、請求項８に記載の方法。
【請求項１０】
混合物の成分として減水組成物をセメント系混合物に添加することをさらに含む、請求項８に記載の方法。
【請求項１１】
減水組成物が、従来の減水剤、従来のポリカルボキシレート分散剤、ポリアスパルテート分散剤またはオリゴマー分散剤の少なくとも１つを含み、従来の減水剤は、リグノスルホネート、メラミンスルホネート樹脂、スルホン化メラミンホルムアルデヒド縮合体、スルホン化メラミンスルホネート縮合体の塩、βナフタレンスルホネート、ナフタレンスルホネートホルムアルデヒド縮合体樹脂、またはスルホン化ナフタレンスルホネート縮合体の塩の少なくとも１つを含む、請求項８または９に記載の方法。
【請求項１２】
水硬性セメント、水、および請求項１から７までのいずれかに記載の非イオン性ポリエーテル−ポリエステルコポリマーを含む混合物を含むセメント系組成物。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2011524352.tif 000001
［式中、
Ｒ１は、置換または未置換Ｃ１〜Ｃ６アルキル、置換または未置換シクロアルキル、置換または未置換アリール、および置換または未置換ヘテロシクリルから選択されるものであり；
Ｒ２は、置換または未置換Ｃ１〜Ｃ６アルキル、および置換または未置換シクロアルキルから選択されるものであり；
Ｒ３は、Ｃ１〜Ｃ６アルキルラジカルである］
またはその薬学的に許容される塩、プロドラッグおよび／もしくは溶媒和物と、少なくとも１種の薬学的に許容される担体、アジュバントおよび／またはビヒクルとを含んでなる、急性または慢性炎症性疾患の治療用医薬組成物。
【請求項２】
前記急性または慢性炎症性疾患の治療用医薬組成物が、ＴＮＦ−アルファおよびＩＦＮ−ガンマから選択される少なくとも１種の炎症誘発性サイトカインの産生を阻害することによるか、あるいはＩＬ−８ケモカインおよび／またはＩＬ−１０調節サイトカインを免疫調節するものである、請求項１に記載の医薬組成物。
【請求項３】
前記急性または慢性炎症性疾患が、急性および慢性の血清陽性または血清陰性少関節炎および多発性関節炎、脊椎関節炎、糸球体腎炎、膠原病、尿細管間質性腎炎、メタボリックシンドローム、アムローム性動脈硬化症、変形性関節症、喘息、慢性閉塞性肺疾患、間質性肺疾患、多発性硬化症、脱髄疾患、髄膜炎、脳炎、髄膜脳炎、炎症性神経根障害および末梢神経障害、炎症性腸疾患、肝硬変、肝炎、心不全、虚血性疾患、腎不全、炎症性膀胱炎、良性前立腺過形成、前立腺炎、心筋炎、心膜炎、ブドウ膜炎、アトピー性皮膚炎、湿疹、じんましん、乾せん、酒さ、アレルギー性鼻炎、敗血症、敗血症性ショック、多発器質不全、全身性自己免疫疾患、例えば、全身性エリテマトーデス、血管炎、皮膚筋炎、アミロイドシスもしくはサルコイドーシス、器官特異的自己免疫疾患、例えば、重症筋無力症、甲状腺炎もしくはインスリン症、臓器移植、感染および腫瘍誘発炎症、ＴＮＦ−アルファ依存性細胞変性、壊死、アポプトーシス、移植片対宿主病、悪液質ならびにオートクリンおよびパラクリン病的細胞増殖から選択されるものである、請求項１または２に記載の医薬組成物。
【請求項４】
前記慢性炎症性疾患が、血清陽性または血清陰性慢性多発性関節炎である、請求項３に記載の医薬組成物。
【請求項５】
前記慢性多発性関節炎が、リウマチ様関節炎である、請求項４に記載の医薬組成物。
【請求項６】
Ｒ１が、置換または未置換Ｃ１〜Ｃ６アルキル、特にメチルである、請求項１〜５のいずれか一項に記載の医薬組成物。
【請求項７】
Ｒ２が、置換または未置換シクロアルキル、特にシクロペンチルである、請求項１〜６のいずれか一項に記載の医薬組成物。
【請求項８】
Ｒ３が、メチルである、請求項１〜７のいずれか一項に記載の医薬組成物。
【請求項９】
前記式（Ｉ）の化合物が、以下の化合物から選択されるものであるか：
【化２】
2011524352.tif 000002
【化３】
2011524352.tif 000003
またはその薬学的に許容される塩、プロドラッグおよび／もしくは溶媒和物である、請求項１〜５のいずれか一項に記載の医薬組成物。
【請求項１０】
式（Ｉ’）の化合物：
【化４】
2011524352.tif 000004
［式中、
Ｒ１は、置換または未置換Ｃ１〜Ｃ６アルキル、置換または未置換シクロアルキル、置換または未置換アリール、および置換または未置換ヘテロシクリルから選択されるものであり；
Ｒ３はＣ１〜Ｃ６アルキルラジカルである］
またはその薬学的に許容される塩、プロドラッグおよび／または溶媒和物。
【請求項１１】
Ｒ１が、置換または未置換Ｃ１〜Ｃ６アルキル、特にメチルである、請求項１０に記載の化合物。
【請求項１２】
下式の化合物から選択される、請求項１０に記載の化合物：
【化５】
2011524352.tif 000005
またはその薬学的に許容される塩、プロドラッグおよび／または溶媒和物。
【請求項１３】
請求項１０〜１２のいずれかで定義されている式（Ｉ’）の化合物またはその薬学的に許容される塩、プロドラッグまたは溶媒和物ならびに少なくとも１種の薬学的に許容される担体、アジュバントおよび／またはビヒクルを含んでなる医薬組成物。
【請求項１４】
薬剤として使用される、請求項１０〜１２のいずれか一項に定義されている式（Ｉ’）の化合物。
【請求項１５】
請求項１に定義されている式（Ｉ）の化合物を含んでなる、免疫学的障害、標的細胞および標的分子を見つけるための、イメージング技術および薬理イメージング技術におけるイメージングバイオマーカー。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
方法が、ＩαＩｐタンパク質を４．０、３．６若しくは３．３以下、又は３．３〜２．９のｐＨの条件に曝露する工程を含有してなる、インター−アルファ−阻害タンパク質（ＩαＩｐタンパク質）を精製する方法。
【請求項２】
クロマトグラフィー工程又は固相抽出工程を含有してなる、請求項１に記載の方法。
【請求項３】
クロマトグラフィー工程が、液体クロマトグラフィー、カラムクロマトグラフィー、陰イオン交換クロマトグラフィー、又はこれらの組み合わせを含有している、請求項２に記載の方法。
【請求項４】
クロマトグラフィーが、モノリシック担体又は粒子ベースの担体の使用を含有している、請求項３に記載の方法。
【請求項５】
陰イオン交換クロマトグラフィーが、ジエチルアミノエタン（ＤＥＡＥ）陰イオン交換クロマトグラフィー又は４級アミン（Ｑ）陰イオン交換クロマトグラフィーである、請求項３又は４に記載の方法。
【請求項６】
少なくとも１つの緩衝液洗浄工程を含有してなり、そこで少なくとも１つの緩衝液洗浄工程の洗浄緩衝液が４．０、３．６若しくは３．３以下、又は３．３〜２．９のｐＨを有している、請求項１〜５の何れか一項に記載の方法。
【請求項７】
少なくとも１つの緩衝液洗浄工程を含有してなり、そこで少なくとも１つの緩衝液洗浄工程の洗浄緩衝液が２５０ｍＭ ＮａＣＬ以上の塩濃度を有している、請求項１〜６の何れか一項に記載の方法。
【請求項８】
ＩαＩｐタンパク質が血液、血漿、血漿画分、脱クリオ血漿又は中間血漿画分から精製される、請求項１〜７の何れか一項に記載の方法。
【請求項９】
中間血漿画分がＩαＩｐ含有画分である、請求項８に記載の方法。
【請求項１０】
血液、血漿画分、又は中間血漿画分が、ヒト、霊長類、ウシ、ウマ、ブタ、ヤギ、ネコ、イヌのもの又はそれらの組み合わせである、請求項８又は９に記載の方法。
【請求項１１】
ＩαＩｐタンパク質が６０〜２８０ｋＤａの見掛けの分子量、生物活性、サイトカイン阻害活性、ケモカイン阻害活性、セリンプロテアーゼ阻害活性、又は８５％〜１００％の収率を有している、請求項１〜１０の何れか一項に記載の方法。
【請求項１２】
ウィルス不活性化工程又はナノろ過工程を更に含有してなる、請求項１〜１１の何れか一項に記載の方法。
【請求項１３】
ウィルス不活性化工程又はナノろ過工程が、クロマトグラフィー工程の前又はクロマトグラフィー工程の後に存在する、請求項１２に記載の方法。
【請求項１４】
方法が：
血液、血漿画分、又は中間血漿画分をクロマトグラフィーカラムに付すこと、
カラムを４．０以下のｐＨを有する洗浄緩衝液に曝すこと：
を含有してなる、インター−アルファ−阻害タンパク質（ＩαＩｐタンパク質）を精製する方法。
【請求項１５】
インター−アルファ−阻害タンパク質（ＩαＩｐタンパク質）がカラムに結合する、請求項１４に記載の方法。
【請求項１６】
インター−アルファ−阻害タンパク質（ＩαＩｐタンパク質）が単離される、請求項１４又は１５に記載の方法。
【請求項１７】
請求項１〜１６の何れか一項に記載の方法で作られた、精製したインター−アルファ−阻害タンパク質（ＩαＩｐタンパク質）。
【請求項１８】
ＩαＩｐタンパク質が、競合的酵素免疫測定法（ＥＬＩＳＡ）で対照と比較して１、１．５、２、３、４、５、又は１０倍を越えて増大した結合を有していると測定される、又は８５％〜１００％の純度範囲を有している、請求項１７に記載のＩαＩｐタンパク質。
【請求項１９】
請求項１〜１６の何れか１項に記載の方法によって精製されたＩαＩｐタンパク質を含有してなる、組成物。
【請求項２０】
請求項１〜１６の何れか１項に記載の方法によって精製されたＩαＩｐタンパク質を含有してなる、医薬組成物。
【請求項２１】
ヒト、霊長類、ウシ、ウマ、ブタ、ヤギ、ネコ、又はイヌを処置するための、請求項２０に記載の医薬組成物。
【請求項２２】
急性炎症性疾患、敗血症、重度のショック、敗血性ショック、関節リウマチ、癌、癌転移、外傷／損傷、感染性疾患、又は早期陣痛の治療のための、請求項２０又は２１に記載の医薬組成物。
【請求項２３】
治療の必要がある対象を判定するための、請求項１９に記載の組成物。
【請求項２４】
対象が、急性炎症性疾患、敗血症、重度のショック、敗血性ショック、関節リウマチ、癌、癌転移、外傷／損傷、感染性疾患、又は早期陣痛の治療が必要であると判定される、請求項２３に記載の組成物。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
神経線維腫症によって引き起こされる状態を治療または予防するための医薬組成物であって、
式（Ｉ）：
【化１】
2011524362.tif 000001
［式中、
各Ｒ１は、独立に、ヒドロキシ、ハロ、Ｃ１〜６アルキル、Ｃ１〜６アルコキシ、（Ｃ１〜６アルキル）スルファニル、（Ｃ１〜６アルキル）スルホニル、シクロアルキル、ヘテロシクロアルキル、フェニル、およびヘテロアリールから選択され；
Ｒ２は、Ｃ１〜６アルキルまたはハロ（Ｃ１〜６アルキル）であり；
各Ｒ３は、独立に、ハロ、Ｃ１〜６アルキル、およびＣ１〜６アルコキシから選択され；
各Ｒ４は、独立に、ヒドロキシ、Ｃ１〜６アルキル、Ｃ１〜６アルコキシ、ハロ、カルボキシル、（Ｃ１〜６アルコキシ）カルボニル、アミノカルボニル、Ｃ１〜６アルキルアミノカルボニル、カルボニトリル、シクロアルキル、ヘテロシクロアルキル、ヘテロシクロアルキルカルボニル、フェニルおよびヘテロアリールから選択され；
Ｒ１、Ｒ２、Ｒ３、およびＲ４は、必要に応じて、ヒドロキシ、ハロ、Ｃ１〜６アルキル、ハロ（Ｃ１〜６アルキル）、Ｃ１〜６アルコキシおよびハロ（Ｃ１〜６アルコキシ）から独立に選択される１以上の置換基で置換されていてもよく；
ａは１、２、３、４、または５であり；
ｂは０、１、２、または３であり；かつ
ｃは１または２である］
のベンゾイミダゾール誘導体またはその互変異性体もしくは立体異性体、または前記化合物、互変異性体もしくは立体異性体の医薬的に許容可能な塩
を含む、前記医薬組成物。
【請求項２】
神経線維腫症によって引き起こされる前記状態が、非癌性の良性脳腫瘍、髄膜腫、神経鞘腫、頭蓋咽頭腫、類皮腫、類表皮腫、血管芽腫、脈絡叢乳頭腫および松果体部腫瘍から選択される、請求項１に記載の医薬組成物。
【請求項３】
前記神経線維腫症が神経線維腫症の１型または２型から選択される、請求項１に記載の医薬組成物。
【請求項４】
式（Ｉ）の前記化合物が、式（ＩＩ）：
【化２】
2011524362.tif 000002
の４−メチル−３−［［４−（３−ピリジニル）−２−ピリミジニル］アミノ］−Ｎ−［５−（４−メチル−１Ｈ−イミダゾール−１−イル）−３−（トリフルオロメチル）フェニル］ベンズアミドまたは式（ＩＩ）の前記化合物の互変異性体、または式（ＩＩＩ）：
【化３】
2011524362.tif 000003
を有する前記互変異性体の医薬的に許容可能な塩である、請求項１に記載の医薬組成物。
【請求項５】
式（Ｉ）
【化４】
2011524362.tif 000004
［式中、
各Ｒ１は、独立に、ヒドロキシ、ハロ、Ｃ１〜６アルキル、Ｃ１〜６アルコキシ、（Ｃ１〜６アルキル）スルファニル、（Ｃ１〜６アルキル）スルホニル、シクロアルキル、ヘテロシクロアルキル、フェニルおよびヘテロアリールから選択され；
Ｒ２は、Ｃ１〜６アルキルまたはハロ（Ｃ１〜６アルキル）であり；
各Ｒ３は、独立に、ハロ、Ｃ１〜６アルキルおよびＣ１〜６アルコキシから選択され；
各Ｒ４は、独立に、ヒドロキシ、Ｃ１〜６アルキル、Ｃ１〜６アルコキシ、ハロ、カルボキシル、（Ｃ１〜６アルコキシ）カルボニル、アミノカルボニル、Ｃ１〜６アルキルアミノカルボニル、カルボニトリル、シクロアルキル、ヘテロシクロアルキル、ヘテロシクロアルキルカルボニル、フェニルおよびヘテロアリールから選択され；
Ｒ１、Ｒ２、Ｒ３、およびＲ４は、必要に応じて、ヒドロキシ、ハロ、Ｃ１〜６アルキル、ハロ（Ｃ１〜６アルキル）、Ｃ１〜６アルコキシおよびハロ（Ｃ１〜６アルコキシ）から独立に選択される１以上の置換基で置換されていてもよく；
ａは１、２、３、４、または５であり；
ｂは０、１、２、または３であり；かつ
ｃは１または２である］
の化合物またはその互変異性体もしくは立体異性体、または前記化合物、互変異性体、もしくは立体異性体の医薬的に許容可能な塩の、神経線維腫症によって引き起こされる状態の治療用の医薬組成物を調製するための使用。
【請求項６】
神経線維腫症によって引き起こされる前記状態が、非癌性の良性脳腫瘍、髄膜腫、神経鞘腫、頭蓋咽頭腫、類皮腫、類表皮腫、血管芽腫、脈絡叢乳頭腫および松果体部腫瘍から選択される、請求項５に記載の使用。
【請求項７】
前記神経線維腫症が神経線維腫症の１型または２型から選択される、請求項５に記載の使用。
【請求項８】
式（ＩＩ）：
【化５】
2011524362.tif 000005
の化合物
または式（ＩＩ）の前記化合物の互変異性体、または式（ＩＩＩ）：
【化６】
2011524362.tif 000006
を有する前記互変異性体の医薬的に許容可能な塩または医薬的に許容可能なその塩の、神経線維腫症によって引き起こされる状態の治療用の医薬組成物を調製するための使用。
【請求項９】
神経線維腫症によって引き起こされる前記状態が、非癌性の良性脳腫瘍、髄膜腫、神経鞘腫、頭蓋咽頭腫、類皮腫、類表皮腫、血管芽腫、脈絡叢乳頭腫および松果体部腫瘍から選択される、請求項７に記載の使用。
【請求項１０】
前記神経線維腫症が神経線維腫症の１型または２型から選択される、請求項７に記載の使用。
【請求項１１】
非癌性の良性脳腫瘍を患っている、ヒトを含む、哺乳動物を治療するための医薬組成物であって、
こうした治療を必要としている哺乳動物に投与するための、有効量の式（ＩＩ）：
【化７】
2011524362.tif 000007
の化合物または式（ＩＩ）の前記化合物の互変異性体、または式（ＩＩＩ）：
【化８】
2011524362.tif 000008
を有する前記互変異性体の医薬的に許容可能な塩
を含む、前記医薬組成物。
【請求項１２】
非癌性の良性脳腫瘍の治療用の医薬製剤であって、式（ＩＩ）：
【化９】
2011524362.tif 000009
の化合物または式（ＩＩ）の前記化合物の互変異性体、または式（ＩＩＩ）：
【化１０】
2011524362.tif 000010
を有する前記互変異性体の医薬的に許容可能な塩を含有する医薬製剤。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
被験体の歯を白くするための組成物であって、１種以上の単離された非病原性の過酸化水素産生菌種または株を含む組成物。
【請求項２】
１種以上の単離された非病原性の過酸化水素産生菌種または株が、乳酸桿菌、ビフィズス菌、緑色連鎖球菌、ロイコノストック、ペディオコッカス、ラクトコッカスまたはそれらの組合せである、請求項１に記載の組成物。
【請求項３】
１種以上の単離された非病原性の過酸化水素産生菌種または株が、（ａ）１種以上の単離されたストレプトコッカス・オラリス（Ｓｔｒｅｐｔｏｃｏｃｃｕｓ  ｏｒａｌｉｓ）株または（ｂ）ストレプトコッカス・ウベリス（Ｓｔｒｅｐｔｏｃｏｃｃｕｓ  ｕｂｅｒｉｓ）の１種以上の単離株または（ｃ）それらの組合せである、請求項１に記載の組成物。
【請求項４】
１種以上の単離された非病原性の過酸化水素産生菌種または株を、もっぱら、被験体の口腔の歯の表面および、歯の表面の周囲の軟部組織に直接投与するための、請求項１に記載の組成物。
【請求項５】
被験体が哺乳類である、請求項１に記載の組成物。
【請求項６】
被験体に、１日に約１回または２回、週に約１回または月に約１回投与するための、請求項１に記載の組成物。
【請求項７】
１種以上の乳酸デヒドロゲナーゼ欠損ミュータンス菌種または株をさらに含む、請求項１に記載の組成物。
【請求項８】
１種または１種以上の乳酸デヒドロゲナーゼ欠損ミュータンス菌種が、ストレプトコッカス・ラッタス（Ｓｔｒｅｐｔｏｃｏｃｃｕｓ  ｒａｔｔｕｓ）を含む、請求項７に記載の組成物。
【請求項９】
１種以上の単離された非病原性の過酸化水素産生菌種または株によって代謝可能である１種以上の炭素供給源をさらに含む、請求項１に記載の組成物。
【請求項１０】
染色された歯、虫歯、歯周炎、口腔細菌感染、口腔内の傷、カンジダもしくは真菌の異常増殖、口臭および口内乾燥誘発性虫歯を治療するための組成物であって、１種以上の単離された非病原性の過酸化水素産生菌種または株および１種以上の乳酸デヒドロゲナーゼ欠損ミュータンス菌種または株を含む組成物。
【請求項１１】
１種以上の単離された非病原性の過酸化水素産生菌種または株が、乳酸桿菌、ビフィズス菌または緑色連鎖球菌、ロイコノストック、ペディオコッカス、ラクトコッカスまたはそれらの組合せである、請求項１０に記載の組成物。
【請求項１２】
１種以上の単離された非病原性の過酸化水素産生菌種または株および１種以上の乳酸デヒドロゲナーゼ欠損ミュータンス菌種または株を、もっぱら、被験体の口腔の歯の表面および、歯の表面の周囲の軟部組織に直接投与するための、請求項１０に記載の組成物。
【請求項１３】
被験体が哺乳類である、請求項１０に記載の組成物。
【請求項１４】
被験体に、１日に約１回または２回、週に約１回または月に約１回投与するための、請求項１０に記載の組成物。
【請求項１５】
１種以上の乳酸デヒドロゲナーゼ欠損ミュータンス菌種が、ストレプトコッカス・ラッタス（Ｓｔｒｅｐｔｏｃｏｃｃｕｓ  ｒａｔｔｕｓ）を含む、請求項１０に記載の組成物。
【請求項１６】
１種以上の単離された非病原性の過酸化水素産生菌種もしくは株または１種以上の乳酸デヒドロゲナーゼ欠損ミュータンス菌種もしくは株または両方によって代謝可能である１種以上の炭素供給源をさらに含む、請求項１０に記載の組成物。
【請求項１７】
被験体の歯を白くすることにおいて使用するための歯科治療装置であって、
（ａ）１種以上の単離された非病原性の過酸化水素産生菌種または株を含む歯を白くする組成物と
（ｂ）歯を白くする組成物に隣接する障壁層と
を含む装置。
【請求項１８】
障壁層が、Ｕ型またはＬ型トラフを規定する少なくとも１つの側壁および底壁を含む歯科治療トレイを含む、請求項１７に記載の歯科治療装置。
【請求項１９】
障壁層が、柔軟性のあるストリップを含む、請求項１７に記載の歯科治療装置。
【請求項２０】
１種以上の単離された非病原性の過酸化水素産生菌種または株が、乳酸桿菌、ビフィズス菌、緑色連鎖球菌、ロイコノストック、ペディオコッカス、ラクトコッカスまたはそれらの組合せである、請求項１７に記載の歯科治療装置。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
ａ）創面切除装置と、
ｂ）金属イオン封鎖剤、界面活性剤および緩衝剤を含有する細胞外ポリマー物質の溶媒和系を含む容器であって、前記溶媒和系を創傷に適用するために塗布器と流体連通する容器と、
ｃ）少なくともいくつかの創面切除された壊死した組織または他の失活した組織および過剰な溶媒和系を前記創傷から除去する吸引装置と、を備える、慢性の創傷を治療するための装置。
【請求項２】
請求項１記載の装置において、
前記溶媒和系塗布器は、十分な流量または十分な圧力の溶媒和系を適用することによって、前記創傷から少なくともいくつかの失活組織を創面切除する創面切除装置としても機能する装置。
【請求項３】
請求項２記載の装置において、
前記塗布器は前記溶媒和系を流量７ｃｍ3／秒を超え、２０ｃｍ3／秒未満で塗布する装置。
【請求項４】
請求項２記載の装置において、
前記塗布器は溶媒和系を送出圧力約３０ｋＰａ〜約５００ｋＰａで塗布する装置。
【請求項５】
請求項２記載の装置において、
前記塗布器は溶媒和系を送出圧力約６０ｋＰａ〜約３５０ｋＰａで塗布する装置。
【請求項６】
請求項１記載の装置において、
前記金属イオン封鎖剤は、細菌バイオフィルム中の１つまたは複数の金属イオンを隔離するには十分であるが、前記創傷中の健康な組織または治療可能な組織を害するほどの酸性度ではない弱酸である方法。
【請求項７】
請求項１記載の装置において、
前記金属イオン封鎖剤は、ナトリウム、カルシウムまたは鉄の封鎖剤を含有する方法。
【請求項８】
請求項１記載の装置において、
前記金属イオン封鎖剤は、カルボン酸、二塩基酸、三塩基酸またはそれらの混合物を含有する方法。
【請求項９】
請求項１記載の装置において、
前記金属イオン封鎖剤は、ギ酸、酢酸、クロロ酢酸、ジクロロ酢酸、シュウ酸、オキサミド酸、グリコール酸、乳酸、ピルビン酸、アスパラギン酸、フマル酸、マレイン酸、コハク酸、イミノ二酢酸、グルタル酸、２−ケトグルタル酸、グルタミン酸、アジピン酸、グルクロン酸、粘液酸、ニトリロ三酢酸、サリチル酸、ケトピメリン酸、安息香酸、マンデル酸、クロロマンデル酸、フェニル酢酸、フタル酸、ホウ酸またはそれらの混合物を含有する装置。
【請求項１０】
請求項１記載の装置において、
前記金属イオン封鎖剤は、クエン酸を含有する装置。
【請求項１１】
請求項１記載の装置において、
前記界面活性剤は、アルキルスルファート、アルキルスルホナートまたはアリールスルホナートまたはそれらの混合物を含有する装置。
【請求項１２】
請求項１記載の装置において、
前記溶媒和系は、さらに抗菌剤を含有する装置。
【請求項１３】
請求項１２記載の装置において、
前記抗菌剤は、局所抗生物質を含有する装置。
【請求項１４】
請求項１２記載の装置において、
前記抗菌剤は、ペプチドを含有する装置。
【請求項１５】
請求項１２記載の装置において、
前記抗菌剤は、細菌選択性ペプチドを含有する装置。
【請求項１６】
請求項１２記載の装置において、
前記抗菌剤は、ガリウムアセトアセトナート、臭化ガリウム、塩化ガリウム、フッ化ガリウム、ヨウ化ガリウム、ガリウムマルトラート、硝酸ガリウム、窒化ガリウム、ガリウムパーコラート、亜リン酸ガリウム、硫酸ガリウムまたはそれらの混合物を含有する装置。
【請求項１７】
慢性の創傷を治療するための患者ケアキットであって、
トレイ；シリンジ；金属イオン封鎖剤、界面活性剤および緩衝剤を含有するＥＰＳ溶媒和系を含む入れ物；および慢性の創傷を治療するために前記キットの適切な使用が記載された印刷された指示書を含むキット。
【請求項１８】
請求項１７記載のキットにおいて、
前記溶媒和系のオスモル体積濃度は約１，０００〜約４，０００ｍＯｓｍであるキット。
【請求項１９】
請求項１７記載のキットにおいて、
前記溶媒和系のオスモル体積濃度は約１，５００〜約２，６００ｍＯｓｍであるキット。
【請求項２０】
請求項１７記載のキットにおいて、
前記金属イオン封鎖剤は、細菌バイオフィルム中の１つまたは複数の金属イオンを隔離するには十分であるが、前記創傷中の健康な組織または治療可能な組織を害するほどの酸性度ではない弱酸であるキット。
【請求項２１】
請求項１７記載のキットにおいて、
前記金属イオン封鎖剤は、ナトリウム、カルシウムまたは鉄の封鎖剤を含有するキット。
【請求項２２】
請求項１７記載のキットにおいて、
前記金属イオン封鎖剤は、カルボン酸、二塩基酸、三塩基酸またはそれらの混合物を含有するキット。
【請求項２３】
請求項１７記載のキットにおいて、
前記金属イオン封鎖剤は、ギ酸、酢酸、クロロ酢酸、ジクロロ酢酸、シュウ酸、オキサミド酸、グリコール酸、乳酸、ピルビン酸、アスパラギン酸、フマル酸、マレイン酸、コハク酸、イミノ二酢酸、グルタル酸、２−ケトグルタル酸、グルタミン酸、アジピン酸、グルクロン酸、粘液酸、ニトリロ三酢酸、サリチル酸、ケトピメリン酸、安息香酸、マンデル酸、クロロマンデル酸、フェニル酢酸、フタル酸、ホウ酸またはそれらの混合物を含有するキット。
【請求項２４】
請求項１７記載のキットにおいて、
前記金属イオン封鎖剤は、クエン酸を含有するキット。
【請求項２５】
請求項１７記載のキットにおいて、
前記界面活性剤は、アルキルスルファート、アルキルスルホナートまたはアリールスルホナートまたはそれらの混合物を含有するキット。
【請求項２６】
請求項１７記載のキットにおいて、
前記溶媒和系は、さらに抗菌剤を含有するキット。
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
被験体における角膜炎症を治療するための医薬の製造における、ＴＬＲ４アンタゴニストの使用方法。
【請求項２】
請求項１に記載の方法であって、前記ＴＬＲ４アンタゴニストが式（Ｉ）の化合物：
2011524371.tif 000001
またはその薬学的に受容可能な塩またはリン酸エステルであって、ここで、Ｒ１が：
2011524371.tif 000002
からなる群より選択され、
各Ｊ、Ｋ、およびＱは、独立して、直鎖または分枝鎖Ｃ１〜Ｃ１５アルキルであり；ＬはＯ、ＮＨ、またはＣＨ２であり；ＭはＯまたはＮＨであり；ならびにＧはＮＨ、Ｏ、Ｓ、ＳＯ、またはＳＯ２であり；
Ｒ２は直鎖または分枝鎖Ｃ５〜Ｃ１５アルキルであり；
Ｒ３は直鎖または分枝鎖Ｃ５〜Ｃ１８アシル、
2011524371.tif 000003
からなる群より選択され、
ここで、ＥはＮＨ、Ｏ、Ｓ、ＳＯ、またはＳＯ２であり；各Ａ、Ｂ、およびＤは、独立して、直鎖または分枝鎖Ｃ１〜Ｃ１５アルキルであり；
Ｒ４は直鎖または分枝鎖Ｃ４〜Ｃ２０アルキルおよび
2011524371.tif 000004
からなる群より選択され、ここで、各ＵおよびＶは、独立して、直鎖または分枝鎖Ｃ２〜Ｃ１５アルキルであり、ならびにＷは水素または直鎖もしくは分枝鎖Ｃ１〜Ｃ５アルキルであり；
ＲＡはＲ５またはＲ５−Ｏ−ＣＨ２−であり、Ｒ５は水素、Ｊ’、−Ｊ’−ＯＨ、−Ｊ’−Ｏ−Ｋ’、−Ｊ’−Ｏ−Ｋ’−ＯＨ、および−Ｊ’−Ｏ−ＰＯ（ＯＨ）２からなる群より選択され、ここで、各Ｊ’およびＫ’は独立して、直鎖または分枝鎖Ｃ１〜Ｃ５アルキルであり；
Ｒ６は、ヒドロキシ、ハロゲン、Ｃ１〜Ｃ５アルコキシおよびＣ１〜Ｃ５アシルオキシからなる群より選択され；
Ａ１およびＡ２は、独立して、
ＯＨ、
2011524371.tif 000005
からなる群より選択され、ここで、Ｚは直鎖もしくは分枝鎖Ｃ１〜Ｃ１０アルキルである、方法。
【請求項３】
前記ＴＬＲ４アンタゴニストが式（ＩＩ）の化合物：
2011524371.tif 000006
またはその薬学的に受容可能な塩またはリン酸エステルである、請求項１に記載の方法。
【請求項４】
式（ＩＩ）の前記ＴＬＲ４アンタゴニスト化合物が構造：
2011524371.tif 000007
またはその薬学的に受容可能な塩またはリン酸エステルを有する、請求項３に記載の方法。
【請求項５】
式（ＩＩ）の前記ＴＬＲ４アンタゴニスト化合物が構造：
2011524371.tif 000008
を有する、請求項３に記載の方法。
【請求項６】
前記角膜炎症がＬＰＳ誘導性角膜炎症である、請求項１に記載の方法。
【請求項７】
前記被験体は角膜炎症を有していないが、角膜炎症を発症するリスクがある、請求項１に記載の方法。
【請求項８】
前記被験体が角膜炎症を有する、請求項１に記載の方法。
【請求項９】
前記ＴＬＲ４アンタゴニストが前記被験体に局所投与される、請求項１に記載の方法。
【請求項１０】
前記ＴＬＲ４アンタゴニストが前記被験体に眼科用製剤中で投与される、請求項１に記載の方法。
【請求項１１】
前記角膜炎症が角膜炎に関連する、請求項１に記載の方法。
【請求項１２】
前記角膜炎症が無菌性角膜炎症に関連する、請求項１に記載の方法。
【請求項１３】
前記角膜炎症がコンタクトレンズ着用に関連する、請求項１に記載の方法。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
(a)N-メチルモルフィナンN-オキシドまたはその保護形態を提供する段階;
(b)前記N-メチルモルフィナンN-オキシドまたはその保護形態を還元条件下で還元反応において固定化還元剤と反応させて、N-デメチルモルフィナンまたはその保護形態を形成する段階
を含む、N-デメチルモルフィナンまたはその保護形態の製造方法。
【請求項２】
N-メチルモルフィナンN-オキシドまたはその保護形態を提供する段階が、N-メチルモルフィナンまたはその保護形態を酸化条件下に酸化反応において酸化剤と反応させて、前記N-メチルモルフィナンN-オキシドまたはその保護形態を形成する段階を含む、請求項1に記載の方法。
【請求項３】
前記N-メチルモルフィナンがモルヒネ、オリパビン、コデイン、テバインおよびヘロインからなる群から選択される、請求項2に記載の方法。
【請求項４】
前記酸化剤が過酸化水素、m-クロロ過安息香酸および過酢酸からなる群から選択される、請求項2または3に記載の方法。
【請求項５】
前記固定化還元剤が固体支持体に結合した金属イオンである、請求項1〜4のいずれか1項に記載の方法。
【請求項６】
前記金属イオンがFe(II)またはV(II)であり、前記固体支持体に結合している配位子に対して錯形成されていることで、前記固体支持体に結合している、請求項5に記載の方法。
【請求項７】
前記配位子が、エチレンジアミン、2,2'-ビピリジン、1,10-フェナントロリン、アセチルアセトネート、1,2-ビス(ジフェニルホスフィノ)メタン、コロール、クラウンエーテル、クリプテート、シクロペンタジエニル、ジエチレントリアミン、ジメチルグリオキシマート、エチレンジアミン4酢酸、エチレンジアミン3酢酸、グリシナート、ポルフィリン、2,2',5',2-ターピリジン、トリアザシクロノナン、トリエチレンテトラミン、トリス(2-アミノエチル)アミンおよびトリス(2-ジフェニルホスフィンエチル)アミンからなる群から選択される、請求項6に記載の方法。
【請求項８】
前記配位子が、連結基を介して前記固体支持体に結合しており、
前記連結基が下記式を有する、請求項7に記載の方法。
【化１】
2011524376.tif 000001
［式中、
Rは、H、メチル、エチル、プロピル、およびOCH3、OCH2CH3からなる群から選択され;
nは、0、1、2および3からなる群から選択される整数であり;
Si部分は固体支持体に結合しており、CH2部分は配位子に結合している。］
【請求項９】
前記固体支持体がシリカ粒子である、請求項5〜8のいずれか1項に記載の方法。
【請求項１０】
前記還元反応後に、反応混合物を濾過して、前記固定化還元剤から前記N-デメチルモルフィナンを分離する、請求項1〜9のいずれか1項に記載の方法。
【請求項１１】
前記還元反応を、脱水アルコール溶媒中で実施する、請求項1〜10のいずれか1項に記載の方法。
【請求項１２】
前記還元反応を、10℃〜120℃の範囲の温度で実施する、請求項1〜11のいずれか1項に記載の方法。
【請求項１３】
前記還元反応を、40℃〜90℃の範囲の温度で実施する、請求項1〜12のいずれか1項に記載の方法。
【請求項１４】
前記還元反応を15分〜48時間の期間にわたって実施する、請求項1〜13のいずれか1項に記載の方法。
【請求項１５】
使用される還元剤の量が0.1モル％〜100モル％である、請求項1〜14のいずれか1項に記載の方法。
【請求項１６】
使用される還元剤の量が1モル％〜5モル％である、請求項1〜15のいずれか1項に記載の方法。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
角度２θが１１．０８°、１２．３８°、１５．８６°、１７．８８°、１９．９８°及び２０．５８°で表される特徴的なピークを持つＣｕ−Ｋａ放射線を用いた粉末Ｘ線回折スペクトル；
２０７．７℃にピークを持つＤＳＣサーモグラム；及び
３０７８ｃｍ-1、２９４２〜２８３８ｃｍ-1、２７９０ｃｍ-1、１７１６ｃｍ-1、１４６３ｃｍ-1、１３７２ｃｍ-1、及び７５７ｃｍ-1に特徴的なピークを持つ赤外線吸収スペクトル（ＩＲ）を有する
結晶性エスゾピクロン。
【請求項２】
次の工程を含む、請求項１記載の結晶性エスゾピクロンの製造方法。
（１）６０℃から還流温度までの範囲にわたる温度の酢酸エチルにエスゾピクロンを溶かし、酢酸エチル１０〜８０ｍｌをエスゾピクロン１ｇにつき使用する工程；
（２）溶液を３０〜５０℃まで自然冷却し、１０分〜１２時間の間、その温度を維持する工程；
（３）１０〜−１０℃まで冷却し、１０分〜１２時間の間、その温度を維持する工程；及び
（４）析出した結晶を分離する工程。
【請求項３】
該工程（１）において、エスゾピクロン１ｇにつき酢酸エチル２５〜５０ｍｌを使うこと；
該工程（２）において、３５〜４５℃まで自然冷却し、１時間〜６時間その温度を維持すること；
工程（３）において、５〜−５℃まで冷却し、１時間〜６時間その温度を維持すること；
を特徴とする、請求項２記載の製造方法。
【請求項４】
請求項１記載の結晶性エスゾピクロン及び医薬上許容される担体を含む医薬品組成物。
【請求項５】
該医薬品組成物の１用量単位につき結晶性エスゾピクロン１〜１５ｍｇを含む、請求項４記載の医薬品組成物。
【請求項６】
該医薬品組成物の１用量単位につき結晶性エスゾピクロン３〜１２ｍｇを含む、請求項５記載の医薬品組成物。
【請求項７】
請求項１記載の結晶性エスゾピクロン及び医薬上許容される担体を含む睡眠障害治療用医薬品組成物。
【請求項８】
睡眠障害を治療するための薬の製造における、請求項１記載の結晶性エスゾピクロンの使用。
【請求項９】
睡眠障害を治療するための薬の製造における、請求項４〜６記載の医薬品組成物のいずれか１つの使用。
【手続補正２】
【補正対象書類名】明細書
【補正対象項目名】００１５
【補正方法】変更
【補正の内容】
【００１５】
ＤＳＣは当業者に知られて、結晶構造変化又は結晶溶解により熱を吸収するとき、又は放出するとき、熱転移温度を測定するのに用いられる。その連続分析において、熱転移温度と融点の差は、一般的に、約±２℃の範囲内で、一般的に約±１℃の範囲内である。従って、特定のＤＳＣピーク又は融点を持つ化合物は、ＤＳＣピークと融点の差が±２℃の範囲内にあることを意味し、それはエスゾピクロンの異なる結晶形を同定するための代替方法であると考えられる。すなわち、化合物の異なる結晶形に対する予備的な同定は、特徴的に異なる転移温度に（少なくとも部分的に）に従い、行うことができる。
【手続補正３】
【補正対象書類名】明細書
【補正対象項目名】００２７
【補正方法】変更
【補正の内容】
【００２７】
本発明の一態様によれば、安定した結晶性エスゾピクロンの経口製剤は、従来の賦形剤、結合剤、膨張性薬剤、希釈剤、圧縮錠剤、潤滑剤、崩壊剤、着色剤、香料、甘味料及び湿潤剤を含むことができ、また、必要に応じて、これらの錠剤をコーティングすることができる。
【手続補正４】
【補正対象書類名】明細書
【補正対象項目名】００３６
【補正方法】変更
【補正の内容】
【００３６】
本発明の一態様によれば、睡眠障害の治療に用いられる場合は、該医薬組成物の１用量単位につき１〜１５ｍｇの結晶性エスゾピクロンを含み、好ましくは３〜１２ｍｇの結晶性エスゾピクロンを含む。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
試薬を計量するための流体用容器（１）であって、チャンバ（４）と、前記流体を前記チャンバ（４）内に封入するよう前記チャンバ（４）を密閉する第１のフィルムとを有する容器（１）において、
第２のフィルム（７）が前記第１のフィルム（３）に密封的に被着され、前記フィルムは、圧力を両方のフィルムに同時に加えたとき、前記第１のフィルム（３）が裂け、前記第２のフィルム（７）が弾性的且つ／或いは可塑的に変形するよう前記フィルムの引裂き強さが互いに異なっている、
ことを特徴とする容器（１）。
【請求項２】
前記チャンバ（４）は、キャリヤフィルム（２）に設けられた窪みである、
請求項１記載の容器（１）。
【請求項３】
チャネル（４０）が前記チャンバ（４）に隣接して位置し、前記第１のフィルム（３）は、前記チャンバ（４）と前記チャネルとの間の流体分離部を形成している、
請求項１又は２記載の容器（１）。
【請求項４】
前記第１のフィルム（３）は、金属箔である、
請求項１、２又は３記載の容器（１）。
【請求項５】
前記第１のフィルム（３）は、アルミニウム箔である、
請求項４記載の容器（１）。
【請求項６】
前記第１のフィルム（３）は、破断点伸びが５０％未満のプラスチックから成る、
請求項１、２又は３記載の容器（１）。
【請求項７】
前記プラスチックフィルム（３）は、前記チャンバの内部寄りに拡散防止層を有する、  請求項６記載の容器（１）。
【請求項８】
前記第１のフィルム（３）は、厚さが５〜１００ミクロン、好ましくは１５〜１００ミクロンである、
請求項４ないし７のいずれか１項に記載の容器（１）。
【請求項９】
前記第２のフィルム（７）は、破断点伸びが３００〜２０００％、特に３００〜７００％、特に好ましくは４００〜６００％の弾性材料から成る、
請求項１ないし３のいずれか１項に記載の容器（１）。
【請求項１０】
前記第２のフィルム（７）のフィルム材料は、ゴムである、
請求項９記載の容器（１）。
【請求項１１】
前記第２のフィルム（７）のフィルム材料は、次の材料、即ち、
・ＴＰＥ（熱可塑性エラストマー）
・シリコーン
・ビトン
・ＰＶＣのうちの１つである、
請求項９記載の容器（１）。
【請求項１２】
前記第１のフィルム（３）と前記チャンバ（４）との間には少なくとも１つの中間フィルム（１３）が設けられ、該中間フィルムは、開口部（６）、特に貫通穴（６）を有する、
請求項１ないし１１のいずれか１項に記載の容器（１）。
【請求項１３】
前記中間フィルム（１３）は、プラスチックから成り、その厚さは、５０〜１０００ミクロンである、
請求項１２記載の容器（１）。
【請求項１４】
前記チャンバ（４）は、ブリスタパック（２）に設けられた窪みである、
請求項１ないし１３のいずれか１項に記載の容器（１）。
【請求項１５】
前記チャンバ（４）の壁は、プラスチック及び／又は金属から成る、
請求項１４記載の容器（１）。
【請求項１６】
前記窪み（４）は、桶形又は楕円形であり、前記チャンバ（４）の前記チャンバ壁の外面を押して変形させることにより圧力を発生させることができる、
請求項１４記載の容器（１）。
【請求項１７】
変形可能な、特に圧縮可能な前記チャンバ（４）の壁厚は、２００〜３００ミクロンである、
請求項１６記載の容器（１）。
【請求項１８】
前記チャンバ（４）の容積は、１００〜５００マイクロリットル、特に２００〜３００マイクロリットルである、
請求項１７記載の容器（１）。
【請求項１９】
前記第２のフィルム（７）は、その表面が前記第１のフィルム（３）に取り付けられ、前記フィルムの非取付け領域がチャネル（４０）を形成するようになっている、
請求項３記載の容器（１）。
【請求項２０】
前記第１のフィルムは、材料を薄肉化した部分、特に切欠きの形態をした脆弱な箇所を有し、圧力を加えると、前記第１のフィルムは、前記脆弱な箇所のところが優先的に裂けるようになっている、
請求項１ないし１９のいずれか１項に記載の容器（１）。